(57)【要約】【課題】品物に加えてシート状部材を贈る場合に、包装作業の負担が小さく、さらに受取人に効果的にアピールすることの可能な包装容器を提供する。【解決手段】引出物、贈答品、記念品等の収納物が収納される内容器１０と、内容器１０が収容される外容器２０とからなる包装容器１００であって、内容器１０の表面に、熨斗、文章、絵画、写真等が表示されたシート状部材３０を保持する保持手段を設ける。内容器１０は、平板の２箇所を折り曲げて断面コ字状に形成されており、その内側に収納物が収納される。保持手段は、内容器１０の表面に形成されたスリット１１である。【選択図】図１
0003169823.tif 000002
【実用新案登録請求の範囲】
【請求項１】
引出物、贈答品、記念品等の収納物が収納される内容器と、前記内容器が収容される外容器とからなる包装容器であって、
前記内容器の表面に、熨斗、文章、絵画、写真等が表示されたシート状部材を保持する保持手段が設けられていることを特徴とする包装容器。
【請求項２】
前記内容器が、平板の２箇所を折り曲げて断面コ字状に形成されており、その内側に前記収納物が収納されることを特徴とする請求項１に記載の包装容器。
【請求項３】
前記保持手段が、前記内容器の表面に形成されたスリットであることを特徴とする請求項１又は請求項２に記載の包装容器。
【請求項４】
前記外容器が、上面に形成された蓋部を持ち上げて開くように構成されており、前記蓋部を持ち上げて開くと、前記内容器の保持手段に保持されたシート状部材が現れるようになっていることを特徴とする請求項１乃至請求項３のうちいずれか１つに記載の包装容器。
【請求項５】
前記外容器に、ＵＶ印刷による模様の印刷がなされていることを特徴とする請求項１乃至請求項４のうちいずれか１つに記載の包装容器。
【請求項６】
前記外容器に、ＵＶコートニスによる表面加工がなされていることを特徴とする請求項１乃至請求項５のうちいずれか１つに記載の包装容器。
【考案の詳細な説明】
【技術分野】
【０００１】
本考案は、結婚式の引出物や、贈答品、記念品等の収納物を収納するための包装容器に関する。
【背景技術】
【０００２】
従来、結婚式の引出物や、その他の贈答品、記念品等を収納するための包装容器が用いられている。一般的な包装容器は、厚紙等により形成された箱の中に収納物を入れた後、必要に応じて熨斗紙を箱に巻いて、さらにその上から包装紙で覆うようになっている。
【０００３】
また、引出物や、贈答品、記念品等を渡す場合には同時に、贈る側の紹介文や詩を記したカード、お気に入りの絵画、記念写真等のシート状部材を同封することも行われている。このようなシート状部材は、そのまま包装容器に同封されるのが一般的である
【０００４】
一方、特許文献１には、商品券等のシート状部材を、ギフト商品が収納される包装箱に設けた切込みに差し込むようにした発明が記載されている。また、特許文献２には、名刺やプリペイドカード、ポイントカード等を包装ケースに設けた切込みに差し込むようにした発明が記載されている。
【先行技術文献】
【特許文献】
【０００５】
【特許文献１】特開２００７−３０９１９号公報
【特許文献２】実用新案登録第３１１６０８３号公報
【考案の概要】
【考案が解決しようとする課題】
【０００６】
しかしながら、熨斗紙を箱に巻いてさらにその上から包装紙で覆う場合には、熨斗紙や包装紙等の資材コストに加え、作業人件費等のコスト負担が大きい。
【０００７】
また、品物に加えてカード等のシート状部材を同封する場合には、そのまま包装容器に入れると、受取人が気付かない恐れがあり、気付いたとしてもそのまま捨てられがちである。
【０００８】
また、特許文献１や特許文献２に記載された発明のように、カード等のシート状部材を包装箱に設けた切込みに差し込む場合には、そのままでは差し込んだシート状部材が落ちてしまう恐れがあるため、さらにその上から包装紙で覆う必要があり、やはり包装作業の負担が大きい。
【０００９】
本考案は、上記従来の課題を解決するものであり、品物に加えてシート状部材を贈る場合に、包装作業の負担が小さく、さらに受取人に効果的にアピールすることの可能な包装容器を提供するものである。
【課題を解決するための手段】
【００１０】
請求項１に係る考案の包装容器は、引出物、贈答品、記念品等の収納物が収納される内容器と、前記内容器が収容される外容器とからなる包装容器であって、前記内容器の表面に、熨斗、文章、絵画、写真等が表示されたシート状部材を保持する保持手段が設けられていることを特徴とする。
【００１１】
請求項２に係る考案は、請求項１に記載の包装容器において、前記内容器が、平板の２箇所を折り曲げて断面コ字状に形成されており、その内側に前記収納物が収納されることを特徴とする。
【００１２】
請求項３に係る考案は、請求項１又は請求項２に記載の包装容器において、前記保持手段が、前記内容器の表面に形成されたスリットであることを特徴とする。
【００１３】
請求項４に係る考案は、請求項１乃至請求項３のうちいずれか１つに記載の包装容器において、前記外容器が、上面に形成された蓋部を持ち上げて開くように構成されており、前記蓋部を持ち上げて開くと、前記内容器の保持手段に保持されたシート状部材が現れるようになっていることを特徴とする。
【００１４】
請求項５に係る考案は、請求項１乃至請求項４のうちいずれか１つに記載の包装容器において、前記外容器に、ＵＶ（ｕｌｔｒａｖｉｏｌｅｔ  ｒａｙｓ）印刷による模様の印刷がなされていることを特徴とする。
【００１５】
請求項６に係る考案は、請求項１乃至請求項５のうちいずれか１つに記載の包装容器において、前記外容器に、ＵＶ（ｕｌｔｒａｖｉｏｌｅｔ  ｒａｙｓ）コートニスによる表面加工がなされていることを特徴とする。
【考案の効果】
【００１６】
請求項１に係る考案によれば、包装容器が内容器と外容器とから構成されており、引出物、贈答品、記念品等の収納物を内容器に収納した後、内容器を外容器に収容するようになっている。そして、内容器の表面に設けられた保持手段により、熨斗、文章、絵画、写真等が表示されたシート状部材を保持するようになっている。従って、品物に加えてカード等のシート状部材を贈る場合に、受取人がシート状部材に気付きやすく、またそのまま捨ててしまうことも少ない。また、シート状部材は内容器に保持され、その外側には外容器が存在するので、その上から包装紙で覆わなくても、シート状部材が落ちてしまう恐れがなく、さらにシート状部材を熨斗紙のデザインにすれば、熨斗紙を巻く必要もない。これにより、熨斗紙や包装紙等の資材コストや作業人件費等のコスト負担を小さくすることができる。
【００１７】
また、請求項２に係る考案によれば、平板の２箇所を折り曲げて断面コ字状にすることにより内容器が形成されており、その内側に収納物が収納されるようになっているので、内容器の組み立てが容易であり、収納物の収納も素早く行うことができる。また、そのまま取り出してカード立てとして使用することもできる。
【００１８】
また、請求項３に係る考案によれば、内容器の表面にスリットを形成して保持手段にしているので、保持手段を容易に設けることができる。
【００１９】
また、請求項４に係る考案によれば、外容器の上面に蓋部が形成されており、蓋部を持ち上げて開くと、内容器の保持手段に保持されたシート状部材が現れるようになっている。従って、受取人が蓋部を開けた瞬間にカード等のシート状部材が目に入るため、受取人に効果的にアピールすることができる。
【００２０】
また、請求項５に係る考案によれば、外容器にＵＶ印刷による模様の印刷がなされているので、見た目に美しいデザインを施すことが可能であり、さらに外容器の耐摩擦性、高品質、印刷適正、安全性等における品質向上を図ることができる。これにより、外容器の上から包装紙で覆わなくても支障がない。
【００２１】
また、請求項６に係る考案によれば、外容器にＵＶコートニスによる表面加工がなされているので、外容器の耐摩擦性、透明性、光沢性、経時変化、経済性等における品質向上を図ることができる。これにより、外容器の上から包装紙で覆わなくても支障がない。
【００２２】
以上、本考案によれば、品物に加えてシート状部材を贈る場合に、包装作業の負担が小さく、さらに受取人に効果的にアピールすることの可能な包装容器を提供することができる。
【図面の簡単な説明】
【００２３】
【図１】本考案の実施形態に係る包装容器を示す斜視図である。
【図２】内容器を示す斜視図である。
【図３】内容器を示す展開図である。
【図４】外容器を示す斜視図である。
【図５】外容器を示す展開図である。
【図６】内容器に保持するシート状部材の一例を示す図である。
【図７】内容器に保持するシート状部材の一例を示す図である。
【図８】ギフトカタログを示す斜視図である。
【図９】包装容器を開けた状態を示す平面図である。
【図１０】内容器をカード立てとして使用した状態を示す斜視図である。
【考案を実施するための形態】
【００２４】
次に、図１乃至図１０を参照して、本考案の実施形態に係る包装容器について説明する。最初に図１を参照して、本実施形態に係る包装容器１００の全体構成について説明する。図１は、包装容器１００を示す斜視図である。
【００２５】
図１に示すように、包装容器１００は、内容器１０と外容器２０とから構成されている。内容器１０は、内部に引出物、贈答品、記念品等の収納物が収納されるようになっており、外容器２０は、内容器１０を収容するようになっている。また、内容器１０の表面には、スリット１１が設けられており、熨斗、文章、絵画、写真等が表示されたシート状部材３０を保持するようになっている。
【００２６】
次に、図２及び図３を参照して、内容器１０について詳細に説明する。図２は、内容器１０を示す斜視図であり、図３は、内容器１０を示す展開図である。なお、図３中の破線は、内容器１０を組み立てる際の折り目を示している。
【００２７】
図２及び図３に示すように、内容器１０は、上板部１２、側板部１３、及び下板部１４から構成されており、平板の２箇所を折り曲げて断面コ字状に形成されている。そして、その内側に収納物を収納するようになっている。内容器１０の材料としては、組み立ての容易さやコスト面から厚紙等を用いることが好ましいが、特に限定されるものではなく、例えば薄いプラスチック板を用いてもよい。
【００２８】
内容器１０の上板部１２及び下板部１４には、それぞれ２箇所ずつ、スリット１１，１１が形成されている。そして、スリット１１，１１に後述するシート状部材３０を差し込んで保持するようになっている。なお、スリット１１は、上板部１２及び下板部１４の両面に設けることが好ましいが、いずれか一方に設けるようにしてもよい。また、スリット１１の形状や数は特に限定されるものではなく、例えば直線状でもよいし、シート状部材３０の４隅に合わせて４箇所設けてもよい。
【００２９】
次に、図４及び図５を参照して、外容器２０について詳細に説明する。図４は、外容器２０を示す斜視図であり、図５は、外容器２０を示す展開図である。なお、図５中の破線は、外容器２０を組み立てる際の折り目を示している。
【００３０】
図４及び図５に示すように、外容器２０は主として、蓋部２１、底部２２、及び側壁部２３，２４，２５，２６から構成されている。外容器２０の材料としては、組み立ての容易さやコスト面から厚紙等を用いることが好ましいが、特に限定されるものではなく、例えば薄いプラスチック板を用いてもよい。
【００３１】
蓋部２１は、一方が側壁部２３に接続されるとともに、他方（側壁部２３と反対側）には前覆部２１ａが形成され、さらに前覆部２１ａの先端に差込片２１ｂが形成されている。前覆部２１ａは、外容器２０を閉じたときに、外容器２０の前面を覆うようになっている。また、差込片２１ｂは、後述する差込口２７に差し込まれて、外容器２０を閉じた状態に保持するようになっている。側壁部２３は、一方が蓋部２１に接続されるとともに、他方が底部２２に接続されている。
【００３２】
側壁部２４は、一方が底部２２に接続されるとともに、他方には上覆部２４ａが形成されている。上覆部２４ａは、外容器２０を閉じたときに、外容器２０の上方の一部分を覆うようになっており、切込２４ｂが形成されている。また、側壁部２４には、外容器２０を閉じたときに隙間が生じないように、補助片２８，２８が形成されている。
【００３３】
側壁部２５は、一方が底部２２に接続されるとともに、他方には上覆部２５ａが形成されている。上覆部２５ａは、外容器２０を閉じたときに、外容器２０の上方の一部分を覆うようになっており、２箇所の切込２５ｂ，２５ｂが形成されている。また、側壁部２５と底部２２との接続部分には、前覆部２１ａの先端に形成された差込片２１ｂに合わせた差込口２７が形成されている。
【００３４】
側壁部２６は、一方が底部２２に接続されるとともに、他方には上覆部２６ａが形成されている。上覆部２６ａは、外容器２０を閉じたときに、外容器２０の上方の一部分を覆うようになっており、切込２６ｂが形成されている。また、側壁部２６には、外容器２０を閉じたときに隙間が生じないように、補助片２８，２８が形成されている。
【００３５】
以上のように形成された外容器２０は、図５の破線に示す折れ目に沿って折り曲げられ、切込２４ｂと切込２５ｂ、切込２６ｂと切込２５ｂとをそれぞれ嵌め込んで、図４に示す状態に組み立てられる。このとき、外容器の上方は、上覆部２４ａ，２５ａ，２６ａによって一部分が覆われるが、蓋部２１を閉めるまでは、底部２２の一部が見えるようになっている。そして、蓋部２１を閉めて、差込片２１ｂを差込口２７に差し込むことにより、外容器２０が閉められる。外容器２０を開くときには、上面に形成された蓋部２１を持ち上げるようになっている。
【００３６】
なお、外容器２０に、ＵＶ（ｕｌｔｒａｖｉｏｌｅｔ  ｒａｙｓ）印刷により模様を印刷することが好ましい。模様を印刷すれば見た目に美しく、またＵＶ印刷は、ＵＶインキが紫外線照射により瞬時に硬化乾燥するものであり、耐摩擦性、高品質、印刷適正、安全性等における品質向上を図ることができるため、外容器２０の上から包装紙で覆わなくても支障がない。
【００３７】
さらに、外容器２０に、ＵＶ（ｕｌｔｒａｖｉｏｌｅｔ  ｒａｙｓ）コートニスにより表面加工をすることが好ましい。これにより外容器２０の耐摩擦性、透明性、光沢性、経時変化、経済性等における品質向上を図ることができるため、外容器２０の上から包装紙で覆わなくても支障がない。
【００３８】
次に、図６及び図７を参照して、内容器１０に保持するシート状部材３０について詳細に説明する。図６及び図７は、内容器１０に保持するシート状部材３０の一例を示す図である。
【００３９】
図６に示すシート状部材３１は、紙等に熨斗３１ａのデザインを印刷したものである。このようなシート状部材３１を内容器１０に差し込めば、いちいち外側から熨斗紙を巻く必要がない。
【００４０】
また、図７に示すシート状部材３２は、紙等に文章３２ａを印刷したものである。文章３２ａは、例えば結婚式であれば新郎新婦の紹介文や詩を表示することができる。さらに、文章の他にも、絵画や写真等を差し込むようにしてもよい。このようなシート状部材３２を内容器１０に差し込めば、受取人に対して効果的にアピールすることができる。
【００４１】
なお、本実施形態では、熨斗、文章、絵画、写真等が表示されたシート状部材について例示したが、シート状部材は特に限定されるものではなく、商品券やプリペイドカードなどであってもよい。
【００４２】
次に、図８を参照して、包装容器１００に収納する収納物について説明する。図８は、ギフトカタログ４０を示す斜視図である。ギフトカタログ４０は、受取人が好みの商品をカタログの中から選択してハガキ等に記入して送付すると、後日その商品が自宅等に送付されるものである。このようなギフトカタログ４０は、断面コ字状の内容器１０の内側に収まりやすい。ただし、収納物はギフトカタログに限定されるものではなく、タオルや菓子等の商品であってもよい。
【００４３】
次に、包装容器１００の使用方法について説明する。まず、引出物等を用意する業者側の包装作業について説明する。外容器２０を図４に示す状態に組み立て、内容器１０のスリット１１には、所要のシート状部材３０を差し込む。そして、内容器１０にギフトカタログ４０を挟み込むようにして収納した後、内容器１０を外容器２０に収容する。最後に、外容器２０の差込片２１ｂを差込口２７に差し込んで蓋部２１を閉じる。なお、外容器２０の上から包装紙等を巻く必要はない。
【００４４】
次に、引出物等を受け取った受取人が、蓋部２１を持ち上げて包装容器１００開くと、図９に示すように、内容器１０のスリット１１に保持されたシート状部材３０が、上覆部２４ａ，２５ａ，２６ａの隙間から現れて、受取人に強い印象を与えることができる。
【００４５】
さらに、内容器１０は、そのまま取り出して図１０に示すようにカード立てとして使用することもできる。
【００４６】
本実施形態に係る包装容器１００によれば、包装容器１００が内容器１０と外容器２０とから構成されており、引出物、贈答品、記念品等の収納物を内容器１０に収納した後、内容器１０を外容器２０に収容するようになっている。そして、内容器１０の表面に設けられた保持手段により、熨斗、文章、絵画、写真等が表示されたシート状部材３０を保持するようになっている。従って、品物に加えてカード等のシート状部材３０を贈る場合に、受取人がシート状部材３０に気付きやすく、またそのまま捨ててしまうことも少ない。また、シート状部材３０は内容器１０に保持され、その外側には外容器２０が存在するので、その上から包装紙で覆わなくても、シート状部材３０が落ちてしまう恐れがなく、さらにシート状部材３０を熨斗紙のデザインにすれば、熨斗紙を巻く必要もない。これにより、熨斗紙や包装紙等の資材コストや作業人件費等のコスト負担を小さくすることができる。
【００４７】
また、平板の２箇所を折り曲げて断面コ字状にすることにより内容器１０が形成されており、その内側に収納物が収納されるようになっているので、内容器１０の組み立てが容易であり、収納物の収納も素早く行うことができる。また、そのまま取り出してカード立てとして使用することもできる。
【００４８】
また、内容器１０の表面にスリット１１を形成して保持手段にしているので、保持手段を容易に設けることができる。
【００４９】
また、外容器２０の上面に蓋部２１が形成されており、蓋部２１を持ち上げて開くと、内容器１０の保持手段に保持されたシート状部材３０が現れるようになっている。従って、受取人が蓋部２１を開けた瞬間にカード等のシート状部材３０が目に入るため、受取人に効果的にアピールすることができる。
【００５０】
また、外容器２０にＵＶ印刷による模様の印刷がなされているので、見た目に美しいデザインを施すことが可能であり、さらに外容器２０の耐摩擦性、高品質、印刷適正、安全性等における品質向上を図ることができる。これにより、外容器２０の上から包装紙で覆わなくても支障がない。
【００５１】
また、外容器２０にＵＶコートニスによる表面加工がなされているので、外容器２０の耐摩擦性、透明性、光沢性、経時変化、経済性等における品質向上を図ることができる。これにより、外容器の上から包装紙で覆わなくても支障がない。
【００５２】
以上、本実施形態に係る包装容器１００によれば、品物に加えてシート状部材を贈る場合に、包装作業の負担が小さく、さらに受取人に効果的にアピールすることの可能な包装容器を提供することができる。
【００５３】
なお、上記実施形態においては、内容器１０の保持手段をスリット１１としたが、例えば両面テープ等を用いて保持するようにしてもよい。
【００５４】
また、外容器２０のＵＶ印刷やＵＶニスコートは、内容器１０に対しても施すことが好ましい。
【００５５】
また、内容器１０及び外容器２０の形状は、必ずしも上記実施形態に限定されるものではなく、表面にシート状部材３０を保持する内容器１０と、内容器１０を収容する外容器２０であれば、様々な形状の組み合わせが可能である。
【符号の説明】
【００５６】
１０    内容器
１１    スリット
１２    上板部
１３    側板部
１４    下板部
２０    外容器
２１    蓋部
２１ａ  前覆部
２１ｂ  差込片
２２    底部
２３    側壁部
２４    側壁部
２４ａ  上覆部
２４ｂ  切込
２５    側壁部
２５ａ  上覆部
２５ｂ  切込
２６    側壁部
２６ａ  上覆部
２６ｂ  切込
２７    差込口
２８    補助片
３０    シート状部材
３１    シート状部材
３１ａ  熨斗
３２    シート状部材
３２ａ  文章
４０    ギフトカタログ
１００    包装容器
【図１】
0003169823.tif 000003
【図２】
0003169823.tif 000004
【図３】
0003169823.tif 000005
【図４】
0003169823.tif 000006
【図５】
0003169823.tif 000007
【図６】
0003169823.tif 000008
【図７】
0003169823.tif 000009
【図８】
0003169823.tif 000010
【図９】
0003169823.tif 000011
【図１０】
0003169823.tif 000012